(57)【要約】      （修正有）【課題】各種ベルトの表裏が識別できるハーネス型安全帯を提供する。【解決手段】ハーネス型安全帯１００は、利用者の両肩、背部及び大腿部に亘って延びる一定幅の帯状体からなる一対の肩ベルト１Ａ、１Ｂと、一対の腿ベルト２Ａ、２Ｂを備え、ベルトの表面と裏面を識別可能に構成する。【選択図】図１
0003201486.tif 000002
【実用新案登録請求の範囲】
【請求項１】
利用者の両肩、背部及び大腿部に亘って延びる一定幅の帯状体からなるベルトを備える高所墜落防止用のハーネス型安全帯において、前記帯状体の表面と裏面を識別可能に構成したことを特徴とするハーネス型安全帯。
【請求項２】
前記帯状体は、裏表異なる色調であることを特徴とする請求項１に記載のハーネス型安全帯。
【請求項３】
前記帯状体は、熱可塑性樹脂からなり異なる色調の二枚のシートを熱圧着して形成されたものであることを特徴とする請求項１又は２に記載のハーネス型安全帯。
【請求項４】
前記帯状体は、合成樹脂からなる一枚のシートを所定の温度で加熱して、前記合成樹脂の表面層の分子鎖を緩ませることにより、緩んだ前記合成樹脂の表面層の分子鎖の間隙に昇華転写インクを定着させて所望の色又は柄を染色させたものであることを特徴とする請求項１又は２に記載のハーネス型安全帯。
【請求項５】
前記合成樹脂はポリエステルを含むことを特徴とする請求項４に記載のハーネス型安全帯。
【請求項６】
前記帯状体の表面又は裏面にエンボス加工が施されたものであることを特徴とする請求項１に記載のハーネス型安全帯。
【考案の詳細な説明】
【技術分野】
【０００１】
本考案は、高所墜落防止用のハーネス型安全帯に関する。
【背景技術】
【０００２】
一般に、工事現場等の高所で作業を行う場合、作業者には転落防止のための安全帯の着用が義務づけられている。この種の安全帯は、人体の胴部に装着される胴ベルトと、胴ベルトに連結された所定長さのロープとからなり、ロープの先端に取付けられた繋止用フックを作業現場の親綱等に掛けるようにしたものが一般的である。しかしながら、この胴ベルト式の安全帯は人体の胴部に装着されるため、ロープからの張力が胴部に集中するとともに、吊り下げられた姿勢も不安定になり易い。そこで、人体の胴部のみならず、両肩、背部及び大腿部に亘って延びるベルトを備え、背部のベルトにロープを連結することにより、人体に加わるロープからの張力をベルトによって分散させ、人体を安定して支持するようにした、いわゆるハーネス型の安全帯が知られている。なお、腰部にロープが固定されている形式の安全帯を使用すると、作業者が転落した場合、頭部に重心があるため逆さ吊りになるが、ハーネス型の安全帯は体が最大傾斜３０度まで傾く構造が義務付けられており、救出までの時間、体への変調をきたしにくいという特徴がある。
【０００３】
ハーネス型の安全帯には、腰と太腿の部分を保持するレッグループ式ハーネス（シットハーネス）と、胴から上の胸部を保持するチェストハーネスがあり、さらに両者を併せたフルボディハーネスと呼ばれるものがある。本考案においては、フルボディハーネスを単に「ハーネス」と呼ぶ。
【０００４】
こうした従来のハーネス型安全帯のベルトは一定幅の帯状体であるが、表面も裏面も、素材、色、表面の凹凸等の物理的構成が全く同じであって、識別性がない。したがって、利用者がハーネス型安全帯を装着しようとする場合、裏表が捩れた状態であってもそれを認識することが容易ではなく、結果正常な状態に戻すことなく装着してしまう事が恒常化している。しかし捩れたままでの装着は落下時の衝撃を考慮すると、身体に甚大な損傷を与えるだけではなく、ワンタッチ式にて結合でき得る部分の機能を阻害しワンタッチ接続部分の脱落の危険がある。高所作業時の墜落防止を目的としているハーネス型安全帯において、ワンタッチ接続部分の脱落の危険を伴う誤った装着が認識されにくい状況のままで利用されているにも拘らず、それに対する明確な対応方法が構築されていない。
【０００５】
帯状体の表裏を識別する方法としては、帯状体の片面に印刷する方法や、異なる色調のシートを張り合わせる方法が考えられる。
【考案の概要】
【考案が解決しようとする課題】
【０００６】
しかしながら、従来の印刷方法、例えばスクリーン印刷により印刷した場合色は劣化しやすく、耐久性に劣る。また、グラビア印刷の場合、色数分の版を製版して、色を順番に重ねて印刷するため、製版の制作に時間がかかり、コスト高になる。また、グラビア印刷はインクや顔料を対象物に載せる必要があるが、合成樹脂には塗料が載りにくいという問題がある。さらに、印刷方法では、色落ちや利用者の作業着を汚す可能性が高い。一方、後者の異なる色調のシートを張り合わせる場合、重量が重くなるという問題があるとともに、二枚の剥がれやすさが問題となる。本考案は、このような問題に鑑み、各種ベルトの表裏が識別できるハーネス型安全帯を提案することを課題とする。
【課題を解決するための手段】
【０００７】
本考案に係るハーネス型の安全帯は、利用者の両肩、背部及び大腿部に亘って延びる一定幅の帯状体からなるベルトを備える高所墜落防止用のハーネス型安全帯において、帯状体の表面と裏面を識別可能に構成したことを特徴とする。
なお、帯状体は、裏表異なる色調であることにより識別可能としてもよい。また、帯状体は、熱可塑性樹脂からなり異なる色調の二枚のシートを熱圧着して形成してもよい。
【０００８】
別の実施形態において、帯状体は、合成樹脂からなる一枚のシートを所定の温度で加熱して、その表面層の分子鎖を緩ませることにより、分子鎖の間隙に昇華転写インクを定着させて所望の色又は柄を染色させるようにしてもよい。この場合、合成樹脂はポリエステルを含むと好適である。
【０００９】
さらに別の実施形態において、帯状体の表面又は裏面にエンボス加工が施されることにより、ベルトの表裏を識別できるようにしてもよい。
【考案の効果】
【００１０】
本考案に係るハーネス型安全帯によれば、絡まったり捩れたりするという支障が発生しやすかったベルトを表裏が識別できるため、利用者にとって利便性が高まるという効果がある。
【図面の簡単な説明】
【００１１】
【図１】本考案に係るハーネス型安全帯１００の全体構成を概略的に示す図である。
【図２】本考案に係るハーネス型安全帯１００のベルトの構造の一例を示す図である。
【図３】本考案の染色原理を示す図である。
【考案を実施するための最良の形態】
【００１２】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１３】
実施例１を図面を参照して詳細に説明する。
【００１４】
図１を参照する。図１は、本考案に係るハーネス型安全帯１００の全体構成を概略的に示す図である。図１に示すとおり、本考案に係るハーネス型安全帯１００は、作業者の背中に配置されるベルト分岐部材３から上方に二股に分かれて延びて使用者の両肩を通り、該使用者の前面側を両肩から下方に延びる一対の肩ベルト１Ａ、１Ｂと、一対の肩ベルト１Ａ、１Ｂの下端に取り付けられる一対の腿ベルト２Ａ、２Ｂを備える。一対の肩ベルト１Ａ、１Ｂは、使用者の肩に当接する部分に肩パッドを備えてもよい。また、本考案に係るハーネス型安全帯１００は、該使用者の前面側を両肩から下方に延びる一対の肩ベルト１Ａ、１Ｂにおいて、使用者の胸部分で連結される胸ベルト１２Ａ、１２Ｂを設けることができる。なお、胸ベルトバックルの雌１３Ａと雄１３Ｂとにより連結されるとよい。また、一対の腿ベルト２Ａ、２Ｂの一端は、該使用者の前面側を両肩から下方に延びる一対の肩ベルト１Ａ、１Ｂの端に固定されている。固定は縫合や接着等でされるとよい。他方、一対の腿ベルト２Ａ、２Ｂの他端は、該使用者の後面側を両肩からベルト分岐部材３を介して下方に延びて別のベルト分岐部材４を挿通して分岐されて延びる一対の肩ベルト１Ａ、１Ｂの下端に取り付けられる。この下端部を筒状部１０Ａ、１０Ｂとし、該筒状部１０Ａ、１０Ｂに腿ベルト２Ａ、２Ｂを抜き差し自在に挿通せしめている。
【００１５】
なお、本考案にハーネス型安全帯１００は、上述したベルト表裏１Ａ、１Ｂ、２Ａ、２Ｂ等が識別できる。図１において、ベルトの表は白抜きで、裏はハッチングで示している。このようにベルトの表裏が識別することにより、ベルトが絡まったり捩れたりするという支障を解決することができる。
【００１６】
図２を参照する。図２は、本考案に係るハーネス型安全帯１００のベルト１の構造の一例を示す図である。ベルト１は、一定幅の帯状体からなる異なる色調の二枚のシート１ａ、１ｂを熱圧着して貼り合わせ形成している。図２（ａ）、（ｂ）に示すとおり、表は白抜きで、裏はハッチングで示している。帯状体は熱可塑性樹脂からなる。熱可塑性樹脂とは、適当な温度に加熱すると軟化して可塑性をもち，冷却すると固化する樹脂の総称でポリエチレン、ポリプロピレン、ポリスチレン、ポリ塩化ビニルなどビニル系ポリマー、ポリエステル、ポリアミド等の縮合系ポリマーなどの線状ポリマーがこれに属する。また、網目構造を形成しない直鎖の高分子である6-ナイロン、6,6-ナイロンも熱可塑性樹脂に属する。本考案の実施例では、ポリエステル製シートと、6-ナイロン製若しくは6,6-ナイロン製のシートを熱圧着して帯状体にしているが、これに限定しない。なお、色調は任意に選択することができる。
【００１７】
また、帯状体は、二枚のシートの熱圧着による一体化の容易さと耐久性の観点から、各シートの厚さは１ｍｍ程度のものが好ましい。
【実施例２】
【００１８】
実施例２を図を参照して説明する。
【００１９】
図３は本発明の染色原理を示す図である。当該染色原理は、昇華転写インク３４でプリントされた転写紙３６に熱を加えると昇華転写インク３４が気化することと、ポリエステルのような合成樹脂は加熱により分子鎖がゆるみ、気化した昇華転写インク３４が分子鎖間に定着することを利用したところに特徴がある。
【００２０】
図３（ａ）は、所定の画像を昇華転写インク３４でプリントした転写紙３６を合成樹脂層３３の表面の所望の位置に配置した状態を示している。この後、転写紙３６の上から矢印方向に転写機３５を押圧するのであるが、その直前の状態を示している。転写機３５で、摂氏２００度で１分加熱するのが好適であるが、例えば摂氏１６０度程度で３分加熱するようにしてもよい。すなわち、摂氏１６０度ないし２００度の範囲内で所定時間の調整をすることで加熱すればよい。ここで、昇華転写について、説明する。昇華転写とは、転写紙という媒体を使用してプリントする方法である。昇華とは、固体が液体を経ずに気化する現象をいう。通常の温度では、固体は液体に変化し、それから気体になるが、熱のみならず一定に圧力を加えると、固体が気体に直接変化する現象が起こる。すなわち、熱と圧力によって昇華という現象を起こさせ、所望の文字や絵柄を印刷することができるのである。
【００２１】
図３（ｂ）は、転写機３５が転写紙３６を合成樹脂層３３に加熱しながら押圧している状態を示している。ポリエステルのような合成樹脂が加熱されることにより分子鎖が図に向かって左右方向に緩んでいることが理解できるであろう。ここで、転写紙３６の昇華転写インク３４は転写機３５の加熱により液化することなく気化し、分子鎖の緩んだ合成樹脂層３３の隙間に入り込んで定着するのである。
【００２２】
図３（ｃ）は、転写紙３６の昇華転写インク３４が合成樹脂層３３に厚み方向に定着した状態を示している。このように、昇華転写インク３４が合成樹脂層３の厚み方向に定着するため、合成樹脂層３３の表面は凹凸を有することがない。したがって、合成樹脂層３３の表面に磨耗はなく、色調の劣化もほとんどない。
【００２３】
なお、合成樹脂層３３の合成樹脂は、ポリエステル樹脂が耐久性から考えて好適であるが、これに限定されない。昇華転写インク３４を受容しうる樹脂であればよく、例えば、ポリビニルアルコール、ポリビニルブチラール、ポリ酢酸ビニル、ポリ塩化ビニル、ポリビニルピロリドン、ポリビニルアセタール等のビニル系樹脂、ポリメチルアクリレート、ポリブチルアクリレート、ポリアクリルアミド等のアクリレート系樹脂、ポリカーボネート樹脂、ポリウレタン樹脂、ポリアミド樹脂、尿素樹脂、ポリカプロラクトン樹脂、ポリスルホン樹脂、シリコーンポリエステル樹脂、エポキシ樹脂等を使用することができる。
【００２４】
昇華転写インク３４は、加熱された際に気化して転移しうるインクをいい、例えばアントラキノン誘導体、キノフタロン誘導体、アゾ系色素等の分散染料が好適である。また、昇華温度は摂氏６０度以上のものがよい。昇華転写インク４は、通常、シアン、マゼンダ、イエロー、ブラックのカラーモデルを基本として転写紙３６に印刷する。
【実施例３】
【００２５】
実施例３を説明する。
【００２６】
図に示していないが、必要に応じて帯状体の表面又は裏面にエンボス加工を施すことにより、表裏を識別することができる。エンボス加工は、適当な表面粗度を有するチルロールとプレッシャーロールとの間でシートを加圧し、該シートの片面又は両面に凹凸模様を付与するものである。エンボス加工を施すことにより、フィルムの外観が美しくなり商品価値が向上するばかりでなく、ベルトを掴んだとき面の凹凸により物体をつかみやすくなり、また表裏を識別できる効果がある。エンボスの種類には、亀甲、格子、絹目、ダイヤ、玉虫、麻目、梨地、しぶき等が挙げられ、いずれを用いても良い。エンボスの深さ（ＪＩＳ−Ｂ０６０１に準拠して測定した値）は、２〜３００μｍ、より好ましくは４０〜１８０μｍである。
【００２７】
以上、本考案に係るハーネス型安全帯１００における好ましい実施形態を図示して説明してきたが、本考案の技術的範囲を逸脱することなく種々の変更が可能であることは理解されるであろう。
【産業上の利用可能性】
【００２８】
本考案に係るハーネス型安全帯１００の構造は、使用者の肩から背中側のベルト分岐部材を介して片ベルトが可能に一筋延びる、いわゆるＹ型ハーネス安全帯について利用することができるが、ベルト分岐部材を介さず両肩から背中側下方に一対の片ベルトが延びる、いわゆるＨ型ハーネス安全帯にも利用することができる。
【符号の説明】
【００２９】
１００  ハーネス型安全帯
１  ２  ベルト
１Ａ  １Ｂ  肩ベルト
１０Ａ  １０Ｂ  筒状部
１０１Ａ  １０１Ｂ  縫着部
２Ａ  ２Ｂ  腿ベルト
３  ４  ベルト分岐部材
３３  合成樹脂層
３４  昇華転写インク
【図１】
0003201486.tif 000003
【図２】
0003201486.tif 000004
【図３】
0003201486.tif 000005